(57)【特許請求の範囲】
【請求項１】
入力端が単一列のライトバー回路における電圧採集素子の両端に接続されて端電圧を取得する電圧検出ユニット（２０１）と、
一方の入力端が前記電圧検出ユニット（２０１）の出力端に接続されて取得した端電圧に対して積分変換する積分ユニット（２０２）と、
前記積分ユニット（２０２）に接続されて積分変換された電圧をシステムのパラメータによって確定された基準電圧と比較し、積分変換された電圧が前記基準電圧よりも大きいときには有効の過電圧信号を出力する比較ユニット（２０３）と、
前記比較ユニット（２０３）に接続され、前記有効の過電圧信号に基づいて出力する待機信号をクランプするクランプユニット（２０４）とを備え、
前記積分ユニット（２０２）は、差動入力型の積分ユニットであり、他方の入力端が積分基準電圧発生ユニット（２０５）に接続されて積分基準電圧に基づいて取得した端電圧に対して積分変換し、前記積分基準電圧発生ユニット（２０５）は取得した端電圧に対して比例増幅を行う比例増幅ユニット（２０５ａ）を備えることを特徴とする表示装置における単一列の過電力保護装置。
【請求項２】
前記比例増幅ユニット（２０５ａ）の出力端には第１及び第２のスイッチングユニット（ＱＮ１、ＱＮ２）が接続されており、前記第１のスイッチングユニット（ＱＮ１）と前記第２のスイッチングユニット（ＱＮ２）とは同一の時間周期内で異なる開閉状態になることを特徴とする請求項１に記載の単一列の過電力保護装置。
【請求項３】
前記第１のスイッチングユニット（ＱＮ１）と前記第２のスイッチングユニット（ＱＮ２）とは、ＭＯＳ型電界効果トランジスタであり、それぞれの制御端には周波数が同じかつ高低レベル状態が相反であるパルス系列が入力されることを特徴とする請求項２に記載の単一列の過電力保護装置。
【請求項４】
パルス信号の周波数は調光周波数と関係されることを特徴とする請求項３に記載の単一列の過電力保護装置。
【請求項５】
前記クランプユニット（２０４）は、第１のトランジスタ（Ｔ６）及び第２のトランジスタ（Ｔ１０）を備え、前記第１のトランジスタ（Ｔ６）はＮＰＮ型であり、前記第２のトランジスタ（Ｔ１０）はＰＮＰ型であり、前記第１のトランジスタ（Ｔ６）のベース電極は、前記比較ユニット（２０３）の出力端に接続されるとともに前記第２のトランジスタ（Ｔ１０）のコレクター電極に接続され、前記第１のトランジスタ（Ｔ６）のコレクター電極は、前記第２のトランジスタ（Ｔ１０）のベース電極に接続され、前記第２のトランジスタ（Ｔ１０）のエミッター電極は、プルアップ抵抗（Ｒ２Ｎ１１）を介して電源（Ｖｃｃ）に接続されていることを特徴とする請求項１に記載の単一列の過電力保護装置。
【請求項６】
前記クランプユニット（２０４）は、第３及び第４のスイッチングユニット（ＱＮ３、ＱＮ４）をさらに備え、前記第３のスイッチングユニット（ＱＮ３）の制御端は、前記第２のトランジスタ（Ｔ１０）のエミッター電極に接続されてその開閉状態がエミッター電極での信号の制御を受けるようにし、前記第３のスイッチングユニット（ＱＮ３）の２つの出力端は、それぞれ電源（Ｖｃｃ）及びグランドに接続され、前記第４のスイッチングユニット（ＱＮ４）の制御端は、前記第３のスイッチングユニット（ＱＮ３）の、電源（Ｖｃｃ）に接続された出力端に接続され、前記第４のスイッチングユニット（ＱＮ４）の出力端は、それぞれ昇圧コンバーターのイネーブル端及びグランドに接続され、前記昇圧コンバーターのイネーブル端に入力された信号が低レベルであるときには昇圧コンバーターを待機状態にし、前記昇圧コンバーターのイネーブル端に入力された信号が高レベルであるときには昇圧コンバーターを正常に動作させることを特徴とする請求項５に記載の単一列の過電力保護装置。
【請求項７】
前記比例増幅ユニットは、入力される端電圧を二倍にするように配置され、前記パルス信号の周波数を調光周波数と同じにして、積分変換回路は入力される積分基準電圧に基づいて積分結果を零とすることを特徴とする請求項４に記載の単一列の過電力保護装置。
【請求項８】
操作周期中、有効の過電圧信号が一旦出現したら、前記クランプユニット（２０４）は再起動されるときまで前記待機信号を保持することを特徴とする請求項５に記載の単一列の過電力保護装置。
【請求項９】
複数のライトバーと、
前記複数のライトバーのうちのライトバー毎における電圧採集ユニットに接続されて電圧を検出し、その電圧値に基づいて出力する待機信号をクランプし、入力端が単一列のライトバー回路における電圧採集素子の両端に接続されて端電圧を取得する電圧検出ユニット（２０１）と、一方の入力端が前記電圧検出ユニット（２０１）の出力端に接続されて取得した端電圧に対して積分変換する積分ユニット（２０２）と、前記積分ユニット（２０２）に接続されて積分変換された電圧をシステムのパラメータによって確定された基準電圧と比較し、積分変換された電圧が前記基準電圧よりも大きいときには有効の過電圧信号を出力する比較ユニット（２０３）と、前記比較ユニット（２０３）に接続され、前記有効の過電圧信号に基づいて出力する待機信号をクランプするクランプユニット（２０４）と、を備える単一列の過電力保護装置と、
前記ライトバーの入力端に接続されて前記ライトバーに駆動電圧を提供し、前記単一列の過電力保護装置が出力した待機信号を受信して自身を待機状態にするかを確定する昇圧コンバーター及び駆動ＩＣとを備え、
前記積分ユニット（２０２）は、差動入力型の積分ユニットであり、他方の入力端が積分基準電圧発生ユニット（２０５）に接続されて積分基準電圧に基づいて取得した端電圧に対して積分変換し、前記積分基準電圧発生ユニット（２０５）は取得した端電圧に対して比例増幅を行う比例増幅ユニット（２０５ａ）を備えることを特徴とする表示装置における光源駆動回路。
【請求項１０】
前記比例増幅ユニット（２０５ａ）の出力端には第１及び第２のスイッチングユニット（ＱＮ１、ＱＮ２）が接続されており、前記第１のスイッチングユニット（ＱＮ１）と前記第２のスイッチングユニット（ＱＮ２）とは同一の時間周期内で異なる開閉状態になることを特徴とする請求項９に記載の光源駆動回路。
【請求項１１】
前記第１のスイッチングユニット（ＱＮ１）と前記第２のスイッチングユニット（ＱＮ２）とは、ＭＯＳ型電界効果トランジスタであり、それぞれの制御端には周波数が同じかつ高低レベル状態が相反であるパルス系列が入力されることを特徴とする請求項１０に記載の光源駆動回路。
【請求項１２】
パルス信号の周波数は調光周波数と関係されることを特徴とする請求項１１に記載の光源駆動回路。
【請求項１３】
前記クランプユニット（２０４）は、第１のトランジスタ（Ｔ６）及び第２のトランジスタ（Ｔ１０）を備え、前記第１のトランジスタ（Ｔ６）はＮＰＮ型であり、前記第２のトランジスタ（Ｔ１０）はＰＮＰ型であり、前記第１のトランジスタ（Ｔ６）のベース電極は、前記比較ユニット（２０３）の出力端に接続されるとともに前記第２のトランジスタ（Ｔ１０）のコレクター電極に接続され、前記第１のトランジスタ（Ｔ６）のコレクター電極は、前記第２のトランジスタ（Ｔ１０）のベース電極に接続され、前記第２のトランジスタ（Ｔ１０）のエミッター電極は、プルアップ抵抗（Ｒ２Ｎ１１）を介して電源（Ｖｃｃ）に接続されていることを特徴とする請求項９に記載の光源駆動回路。
【請求項１４】
前記クランプユニット（２０４）は、第３及び第４のスイッチングユニット（ＱＮ３、ＱＮ４）をさらに備え、前記第３のスイッチングユニット（ＱＮ３）の制御端は、前記第２のトランジスタ（Ｔ１０）のエミッター電極に接続されてその開閉状態がエミッター電極での信号の制御を受けるようにし、前記第３のスイッチングユニット（ＱＮ３）の２つの出力端は、それぞれ電源（Ｖｃｃ）及びグランドに接続され、前記第４のスイッチングユニット（ＱＮ４）の制御端は、前記第３のスイッチングユニット（ＱＮ３）の、電源（Ｖｃｃ）に接続された出力端に接続され、前記第４のスイッチングユニット（ＱＮ４）の出力端は、それぞれ昇圧コンバーターのイネーブル端及びグランドに接続され、前記昇圧コンバーターのイネーブル端に入力された信号が低レベルであるときには昇圧コンバーターを待機状態にし、前記昇圧コンバーターのイネーブル端に入力された信号が高レベルであるときには昇圧コンバーターを正常に動作させることを特徴とする請求項１３に記載の光源駆動回路。
【請求項１５】
前記比例増幅ユニットは、入力される端電圧を二倍にするように配置され、前記パルス信号の周波数を調光周波数と同じにして、積分変換回路が入力される積分基準電圧に基づいて積分結果を零とすることを特徴とする請求項１２に記載の光源駆動回路。
【請求項１６】
操作周期中、有効の過電圧信号が一旦出現したら、前記クランプユニット（２０４）は再起動されるときまで前記待機信号を保持することを特徴とする請求項１３に記載の光源駆動回路。
【発明の詳細な説明】
【技術分野】
【０００１】
本発明は、表示技術分野に関し、具体的には、表示装置における単一列の過電力保護装置及び光源駆動回路に関するものである。
【背景技術】
【０００２】
液晶表示装置（ＬＣＤ）のバックライトモジュールにおいて、ライトバー（Light  Bar）は重要な部材である。従来のＬＣＤバックライトモジュールには、複数列のライトバーを多く採用している。複数個の発光ダイオード（ＬＥＤ）をバー状の基板に規則的に配列してＬＥＤライトバーを構成する。また、従来のライトバーは、一般に液晶表示装置の上下両側または左右両側または四周に対称に設けられる。
【０００３】
しかし、バックライト駆動の昇圧型コンバータ（Converter）において、ライトバーの単一列回路に対しては過電力保護回路が設けられておらず、入力全体に対する過電流または過電圧保護回路のみが設けられている。図１ａ及び図１ｂに示したように、これらの回路には所定のリスクがある。ＭＯＳＦＥＴ（図１ａ）またはＢＪＴ（図１ｂ）が絶縁破壊（breakdown）された場合、ライトバーの電流は制御されなくてトランジスタが損壊された一列の電流がかなり大きくなってしまう。また、従来の設定においては正常動作の電流よりも少し大きいので、単一列のみに異常が発生した場合にはその問題を検出することができなかった。
【０００４】
また、ライトバーにおいて、過電力の一列は、その領域の輝度の過大、ライトバーの温度の過大、基板の焼損等の問題をもたらすおそれがある。
【０００５】
従って、毎列の発光ダイオード回路に対して合理的に過電力保護を行うことができる技術が必要である。
【発明の概要】
【発明が解決しようとする課題】
【０００６】
本発明の目的は、単一列のライトバーが過電流または過電流になったときに別の部材を保護することができる装置を提供することにある。
【課題を解決するための手段】
【０００７】
上述した問題を解決するため、本発明は、入力端が単一列のライトバー回路における電圧採集素子の両端に接続されて端電圧を取得する電圧検出ユニットと、一方の入力端が前記電圧検出ユニットの出力端に接続されて取得した端電圧に対して積分変換する積分ユニットと、前記積分ユニットに接続されて積分変換された電圧をシステムのパラメータによって確定された基準電圧と比較し、積分変換された電圧が前記基準電圧よりも大きいときには有効の過電圧信号を出力する比較ユニットと、前記比較ユニットに接続され、前記有効の過電圧信号に基づいて出力する待機信号をクランプするクランプユニットと、を備える、単一列のＬＥＤライトバーに用いられる過電力保護装置を提供する。
【０００８】
また、前記積分ユニットは、差動入力型の積分ユニットであり、他方の入力端が積分基準電圧発生ユニットに接続されて積分基準電圧に基づいて取得した端電圧に対して積分変換し、前記積分基準電圧発生ユニットは、取得した端電圧に対して比例増幅を行うための比例増幅ユニットを備える。
【０００９】
また、前記比例増幅ユニットの出力端には第１及び第２のスイッチングユニットが接続されており、前記第１のスイッチングユニットと前記第２のスイッチングユニットとは同一の時間周期内で異なる開閉状態になる。
【００１０】
また、前記第１のスイッチングユニットと前記第２のスイッチングユニットとは、ＭＯＳ型電界効果トランジスタであり、それぞれの制御端には周波数が同じかつ高低レベル状態が相反であるパルス系列が入力される。
【００１１】
また、前記パルス信号の周波数は調光周波数と関係される。
【００１２】
また、前記クランプユニットは、第１のトランジスタ及び第２のトランジスタを備え、前記第１のトランジスタはＮＰＮ型であり、前記第２のトランジスタはＰＮＰ型であり、前記第１のトランジスタのベース電極は、前記比較ユニットの出力端に接続されるとともに前記第２のトランジスタのコレクター電極に接続され、前記第１のトランジスタのコレクター電極は、前記第２のトランジスタのベース電極に接続され、前記第２のトランジスタのエミッター電極は、プルアップ抵抗を介して電源に接続されている。
【００１３】
また、前記クランプユニットは、第３及び第４のスイッチングユニットをさらに備え、前記第３のスイッチングユニットの制御端は、前記第２のトランジスタのエミッター電極に接続されてその開閉状態がエミッター電極での信号の制御を受けるようにし、前記第３のスイッチングユニットの２つの出力端は、それぞれ電源及びグランドに接続され、前記第４のスイッチングユニットの制御端は、前記第３のスイッチングユニットの、電源に接続された出力端に接続され、前記第４のスイッチングユニットの出力端は、それぞれ昇圧コンバーターのイネーブル端及びグランドに接続され、前記昇圧コンバーターのイネーブル端に入力された信号が低レベルであるときには昇圧コンバーターを待機状態にし、前記昇圧コンバーターのイネーブル端に入力された信号が高レベルであるときには昇圧コンバーターを正常に動作させる。
【００１４】
また、前記比例増幅ユニットは、入力される端電圧を二倍にするように配置される。
【００１５】
また、前記パルス信号の周波数を調光周波数と同じにして、前記積分変換回路は入力される積分基準電圧に基づいて積分結果を零とする。
【００１６】
また、上述した問題を解決するため、本発明は、複数のライトバーと、前記複数のライトバーのうちのライトバー毎における電圧採集ユニットに接続されて電圧を検出し、その電圧値に基づいて出力する待機信号をクランプする上記のような単一列の過電力保護装置と、前記ライトバーの入力端に接続されて前記ライトバーに駆動電圧を提供し、前記単一列の過電力保護装置が出力した待機信号を受信して自身を待機状態にするかを確定する昇圧コンバーター及び駆動ＩＣと、を備える表示装置における光源駆動回路を提供する。
【００１７】
本発明の他の特徴及びメリットは、後述の明細書で説明によって自明になる、または、本発明の実施から了解することができる。本発明の他の目的及び他のメリットは、明細書、特許請求の範囲及び図面に指摘された構成により実現かつ獲得することができる。
【図面の簡単な説明】
【００１８】
図面は、本発明を容易に理解させるための明細書の一部分であり、かつ本発明の実施例と共に本発明を解釈するためのものであり、本発明を限定するためのものではない。
【図１】（ａ）及び（ｂ）は、従来のＬＥＤライトバーの回路を示す図である。
【図２】本発明の実施例に係る単一列のライトバーに用いられる過電力保護回路の原理図である。
【図３】本発明の実施例による端電圧、積分基準電圧及び積分電圧のシーケンス図である。
【図４】本発明の実施例に係る過電力保護回路におけるクランプユニットを詳細に示した回路原理図である。
【発明を実施するための形態】
【００１９】
以下、図面と実施例とを組み合わせながら本発明の実施形態ついて詳細に説明し、これにより、本発明の技術問題を解決するための技術手段及びその効果の実現過程に対して十分に了解及び実施することができる。また、矛盾しない限り、本発明における各実施例及び各実施例における各特徴の組み合わせによって形成された技術事項も本発明の保護範囲に属すべきである。
【００２０】
図２は、本発明の実施例に係る単一列のライトバーに用いられる過電力保護回路の原理図である。この過電力保護回路は、電圧検出ユニット２０１、積分ユニット２０２、比較ユニット２０３及びクランプユニット２０４を備える。
【００２１】
電圧検出ユニット２０１の入力端は、単一列のライトバー回路で直列接続されている抵抗（例えば、図１ａまたは図１ｂにおけるＲ１・・・Ｒ２Ｎ＋１）の両端に接続されてその両端での端電圧Ｖ１−Ｖ２を取得する。抵抗Ｒ１・・・Ｒ２Ｎ＋１の既知の抵抗値によって単一列のライトバー回路を流れる電流を求めることができる。
【００２２】
本実施例において、電圧検出ユニット２０１は、増幅器１及び相応の抵抗で構成された減算回路を備える。この増幅器の両差動入力端及びフィードバック回路には、同抵抗値（即ち、Ｒ２Ｎ１＝Ｒ２Ｎ２＝Ｒ２Ｎ３＝Ｒ２Ｎ４）の抵抗が設けられている。演算増幅（operational  amplifier）の公式によれば、増幅器１の出力Ｖ２Ｎ＋５がＶ１−Ｖ２となるようにできる。単一列のライトバー回路において、端電圧Ｖ１−Ｖ２のシーケンス図は図３に示した通りである。
【００２３】
積分ユニット２０２の一方の入力端は、電圧検出ユニット２０１の出力端に接続されて取得した端電圧Ｖ１−Ｖ２に対して積分変換し、積分後の電圧出力Ｖ２Ｎ＋４を得る。図３に示したように、回路におけるコンデンサの作用により、積分ユニットの出力はある値まで徐々に上昇する。ここで、積分ユニットの設置はＶ１−Ｖ２におけるピークを除去することに有利するので、直接過電流を保護することで生じる誤操作を回避することができる。例えば、Ｖ１−Ｖ２の値または単一列のライトバー回路の電流に短時間内での急変があった（例えば、３Ｄ走査、全部点灯、ＰＷＭ調光）ときに、積分ユニット２０２の出力にはそのような急変はない。従って、例えば３Ｄ走査のときには、本過電力保護装置では誤操作が生じない。
【００２４】
本発明の実施例では、図２に示したように、積分ユニット２０２は差動入力型の積分ユニットであり、他方の入力端は、積分基準電圧発生ユニット２０５に接続されて積分基準電圧Ｖ２Ｎ＋１に基づいて、取得した端電圧Ｖ１−Ｖ２に対して周期的に積分変換する。積分基準電圧発生ユニット２０５は、比例増幅ユニット２０５ａを備える。比例増幅ユニット２０５ａは、取得した端電圧に対して比例増幅を行う。
【００２５】
比例増幅ユニット２０５ａの出力端には第１及び第２のスイッチングユニットＱＮ１、ＱＮ２が接続されている。第１のスイッチングユニットＱＮ１の一端は比例増幅ユニット２０５ａの出力端に接続され、第２のスイッチングユニットＱＮ２の一端は接地されている。第１のスイッチングユニットＱＮ１の他端と第２のスイッチングユニットＱＮ２の他端とは共に積分ユニット２０２に接続されている。第１のスイッチングユニットＱＮ１と第２のスイッチングユニットＱＮ２とは同一の時間周期内で異なる開閉状態になる。すなわち、同一の時間内で、第１のスイッチングユニットＱＮ１と第２のスイッチングユニットＱＮ２とのうち１つのみが導通される。出力した積分基準電圧Ｖ２Ｎ＋１の波形は図３に示した通りである。
【００２６】
第１のスイッチングユニットＱＮ１と第２のスイッチングユニットＱＮ２とは、ＭＯＳ型電界効果トランジスタ（ＭＯＳＦＥＴ）であり、それぞれの制御端には周波数が同じかつ状態が相反であるパルス系列が入力される。ここで、パルス信号の周波数は調光周波数と関係される。
【００２７】
図２に示したように、比例増幅ユニット２０５ａは、入力される端電圧を二倍（Ｖ２Ｎ＋２＝２（Ｖ１−Ｖ２））にするように配置されている。２周期内でＶ２Ｎ＋４の積分を零とするために、第１のスイッチングユニットＱＮ１と第２のスイッチングユニットＱＮ２との制御端に提供されるパルス信号の周波数を調光周波数と同じにする。しかし、本発明はこれに限定されるものではなく、比例増幅ユニット２０５ａの増幅倍数は実際応用によって異なることができ、これに応じて、第１のスイッチングユニットＱＮ１と第２のスイッチングユニットＱＮ２との制御端に提供されるパルス信号の周波数を調光周波数と同じ、または、関係されるようにすることができる。
【００２８】
このような構成により、規定時間内で、積分結果はシステムに設定された基準電圧Ｖｒｅｆを超えることができない。
【００２９】
再度図２を参照すれば、比較ユニット２０３は、積分ユニット２０２に接続されて積分変換された電圧をシステムのパラメータによって確定された基準電圧Ｖｒｅｆと比較し、積分変換された電圧が基準電圧Ｖｒｅｆよりも大きいときには有効の過電圧信号を出力する。図面では、有効の過電圧信号をＶ２Ｎ＋３と表し、この有効の過電圧信号が例えば高レベルになったとき、単一列のライトバーにおける電流が定格値を超えたことを表す。
【００３０】
このとき、比較ユニット２０３に接続されたクランプユニット２０４は、その有効の過電圧信号に基づいて出力する待機信号ＶＬＯＮ１をクランプする。操作周期中、有効の過電圧信号（例えば、高レベルのＶ２Ｎ＋３）が一旦出現したら、クランプユニット２０４は再起動されるときまで待機信号ＶＬＯＮ１を保持する。
【００３１】
本発明の実施例では、図２に示したように、クランプユニット２０４は、第１のトランジスタＴ６及び第２のトランジスタＴ１０を備え、第１のトランジスタＴ６はＮＰＮ型であり、第２のトランジスタＴ１０はＰＮＰ型である。第１のトランジスタＴ６のベース電極は、比較ユニット２０３の出力端に接続されるとともに第２のトランジスタＴ１０のコレクター電極に接続され、第１のトランジスタＴ６のコレクター電極は、第２のトランジスタＴ１０のベース電極に接続され、第２のトランジスタＴ１０のエミッター電極は、プルアップ抵抗Ｒ２Ｎ１１を介して電源Ｖｃｃに接続されている。
【００３２】
クランプユニット２０４は、第３及び第４のスイッチングユニットＱＮ３、ＱＮ４をさらに備える。第３のスイッチングユニットＱＮ３の制御端は、第２のトランジスタＴ１０のエミッター電極に接続されてその開閉状態がエミッター電極での信号の制御を受けるようにし、第３のスイッチングユニットＱＮ３の２つの出力端は、それぞれ電源Ｖｃｃ及びグランドに接続され、第４のスイッチングユニットＱＮ４の制御端は、第３のスイッチングユニットＱＮ３の、電源Ｖｃｃに接続された出力端に接続され、第４のスイッチングユニットＱＮ４の出力端は、それぞれ昇圧コンバーターのイネーブル端（enable  terminal）及びグランドに接続され、昇圧コンバーターのイネーブル端に入力された待機信号ＢＬＯＮ１が低レベルであるときには昇圧コンバーターを待機状態にする。昇圧コンバーターのイネーブル端に入力された待機信号ＢＬＯＮ１が高レベルであるときには昇圧コンバーターを正常に動作させる。
【００３３】
具体的には、図４に示したように、第３及び第４のスイッチングユニットＱＮ３、ＱＮ４をＭＯＳ型電界効果トランジスタ（ＭＯＳ管）とする。Ｖ２Ｎ＋３が高レベルになった（即ち、Ｖ１−Ｖ２の積分値Ｖ２Ｎ＋４が基準電圧Ｖｒｅｆを超えた）ときに、トランジスタＴ６とトランジスタＴ１０とは導通され、第３のスイッチングユニットＱＮ３のゲート電極の電圧がクランプ回路によって低レベルにクランプされるので、増強型ＭＯＳ管の特徴によれば、第３のスイッチングユニットＱＮ３が遮断状態を保持し、第４のスイッチングユニットＱＮ４が導通状態になることにより、待機信号ＢＬＯＮ１は低レベルになる。待機信号ＢＬＯＮ１が昇圧コンバーターのイネーブル端に伝送されることにより、昇圧コンバーターは待機状態になる。
【００３４】
しかし、Ｖ１−Ｖ２の値が基準電圧の値を一旦超えたら、第１のトランジスタＴ６と第２のトランジスタＴ１０とで構成されたクランプ回路が比較ユニット２０３の出力を有効の過電圧状態に保持させるので、その後Ｖ１−Ｖ２の積分値Ｖ２Ｎ＋４が基準電圧よりも小さい値になったとしても、このクランプ回路の出力は待機信号ＢＬＯＮ１が始終低レベルの状態になるようにする。昇圧コンバーターは、再起動したときのみが正常に動作することができる。上記のような構成によれば、過電力保護装置は、ＬＥＤライトバーを安定的に保護する機能を提供する。
【００３５】
本発明は、表示装置における光源駆動回路をさらに提供し、該光源駆動回路は、複数のライトバーと、前記複数のライトバーのうちのライトバー毎における電圧採集ユニットに接続されて電圧を検出し、その電圧値に基づいて出力する待機信号をクランプする上記のような単一列の過電力保護装置と、前記ライトバーの入力端に接続されて前記ライトバーに駆動電圧を提供し、前記単一列の過電力保護装置が出力した待機信号を受信して自身を待機状態にするかを確定する昇圧コンバーター及び駆動ＩＣと、を備える。
【００３６】
本発明の実施形態は上記の通りであるが、上記の内容は本発明を了解させるための実施形態であり、本発明を限定するためのものではない。当業者ならば、この発明の要旨を逸脱しない範囲での設計の変更等があってもこの発明に含まれることは勿論である。また、本発明の保護範囲は、特許の請求範囲の記載を基準とすべきである。
【図１】
0006266790.tif 000002
【図２】
0006266790.tif 000003
【図３】
0006266790.tif 000004
【図４】
0006266790.tif 000005